(57)【特許請求の範囲】
【請求項１】
車両の下部に固定される電動駐車ブレーキ装置の内外を連通する大気開放用の第一配管と、
前記第一配管と合流部で合流する形状に形成され、前記車両のディファレンシャル装置の内外を連通する大気開放用の第二配管とを備え、
前記合流部よりも上流側に位置する大気開放端部が、前記車両のダッシュパネルに沿って上方に向かって配設されるとともに、
前記合流部よりも下流側に位置する前記第一配管及び前記第二配管の少なくとも何れか一方が、振動を吸収するホースを有する
ことを特徴とする、車両のブリーザ構造。
【請求項２】
前記大気開放端部が、前記車両のカウルトップの下方に開放される
ことを特徴とする、請求項１記載の車両のブリーザ構造。
【請求項３】
前記電動駐車ブレーキ装置が、フレームのうち車長方向に延設されたサイドメンバの外側に固定される
ことを特徴とする、請求項１又は２記載の車両のブリーザ構造。
【請求項４】
前記第二配管が、前記車両の前輪に動力を伝達するフロントディファレンシャル装置のブリーザ配管である
ことを特徴とする、請求項１〜３の何れか１項に記載の車両のブリーザ構造。
【発明の詳細な説明】
【技術分野】
【０００１】
本発明は、電動駐車ブレーキ装置を搭載した車両のブリーザ構造に関する。
【背景技術】
【０００２】
近年、車両の駐車ブレーキ装置（パーキングブレーキ）を電動化した電動駐車ブレーキ装置が普及しつつある。駐車ブレーキ装置とは、ブレーキペダルによる制動系とは別系統で設けられた制動装置であり、乗員の手動操作で牽引されるワイヤーケーブルを用いて車輪の摩擦制動機構を作動させるものである。一方、電動駐車ブレーキ装置では、そのワイヤケーブルが電動モータで牽引される（特許文献１参照）。
【０００３】
電動モータの作動状態は、例えばボタン操作やペダル操作，車両の停止状態等に応じて制御される。これにより、手軽に電動モータを作動させて車輪をロックすることができる。また、電動モータで発生する牽引力を弱めれば車輪のロックが解除されるため、坂道発進時におけるブレーキペダル踏み込み操作の代わりに使用することも可能である。なお、電動駐車ブレーキ装置の取付位置は、防水性や防塵性を考慮して、おもに車室内や車室のフロアパネル下面に設定される（特許文献２，３参照）。
【先行技術文献】
【特許文献】
【０００４】
【特許文献１】特開2000-211485号公報
【特許文献２】特開2002-242968号公報
【特許文献３】特開2007-040442号公報
【発明の概要】
【発明が解決しようとする課題】
【０００５】
しかし、電動駐車ブレーキ装置をフロアパネル下面に固定すると、その作動音や振動が車室に伝達されやすくなってしまう。特に、近年の電動駐車ブレーキ装置は、アクセルペダルの踏み込み操作やブレーキペダルの踏み込み操作で車輪をロックし、あるいはロックを解除する機能を持つものが開発されている。このような電動駐車ブレーキ装置を使用した場合、立体駐車場内や渋滞路で車輪が頻繁にロックされ、あるいはこれが解除されることがある。そのため、電動駐車ブレーキ装置の作動音や振動によって、車室の静粛性が低下するおそれがある。
【０００６】
そこで、電動駐車ブレーキ装置を車室から離れた場所に取り付けて、車室の静粛性を高めることが検討されている。電動駐車ブレーキ装置の具体的な取付位置としては、例えば、車両のフレーム上に設定することが考えられる。しかしながら、車両のフレームは車体下部に配置されるため、電動駐車ブレーキ装置が冠水しやすく、装置内部に水が進入しやすくなるという課題が生じる。すなわち、河川の氾濫や大雨による路面冠水時に、電動駐車ブレーキ装置が水面下に水没すると、ワイヤケーブルに染み込んだ水分が装置内部に吸い込まれて電動駐車ブレーキ装置の正常な動作を阻害する場合がある。
【０００７】
このような課題に対し、電動駐車ブレーキ装置にブリーザホースを接続することで、内部圧力を外気圧と同一圧力に維持し、装置内部への水分の進入を防止することも考えられる。しかしこの場合、ブリーザホースの経路が長くなり、車体振動によるホースの変形，破損の可能性が高まるとともに、部品点数の増大によりコストが増加する。
【０００８】
本件は上記のような課題に鑑み創案されたものであり、車両の渡渉性能を高めつつ、ブリーザホースの配索経路を短縮することができるブリーザ構造を提供することを目的の一つとする。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００９】
（１）ここで開示する車両のブリーザ構造は、車両の下部に固定される電動駐車ブレーキ装置の内外を連通する大気開放用の第一配管を備える。また、前記第一配管と合流部で合流する形状に形成され、前記車両のディファレンシャル装置の内外を連通する大気開放用の第二配管を備える。
前記合流部よりも上流側に位置する大気開放端部は、前記車両のダッシュパネルに沿って上方に向かって配設される。また、前記合流部よりも下流側に位置する前記第一配管及び前記第二配管の少なくとも何れか一方は、振動を吸収するホースを有する。
【００１０】
前記第一配管，前記第二配管には、金属配管や樹脂パイプ，ゴムホースなどが含まれる。また「前記合流部よりも下流側」とは、前記第一配管のうち、前記合流部から前記電動駐車ブレーキまでの区間と、前記第二配管のうち、前記合流部から前記ディファレンシャル装置までの区間とを意味する。これらの何れかの区間に前記ホースが介装され、あるいは、これらの何れかの区間が前記ホースで形成される。
なお、前記電動駐車ブレーキ装置とは、乗員操作に応じて前記車両の駐車ブレーキを作動させ又は解除するモータを内蔵する電動式のパーキングブレーキ装置である。
【００１１】
（２）前記大気開放端部が、前記車両のカウルトップの下方に開放されることが好ましい。
（３）前記電動駐車ブレーキ装置が、フレームのうち車長方向（車両前後方向）に延設されたサイドメンバの外側に固定されることが好ましい。
なお、前記車両が、前記フレーム上にマウントを介してボディが載置されるフレーム車両であることが好ましい。
【００１２】
（４）前記第二配管が、前記車両の前輪に動力を伝達するフロントディファレンシャル装置のブリーザ配管であることが好ましい。
この場合、前記電動駐車ブレーキ装置が、前記フロントディファレンシャル装置の近傍であって、前記車両の前輪よりも後方に配置されることが好ましい。例えば、前記サイドメンバに固定されて前記フレームの振動を抑制するダンパ装置を備えることが好ましい。また、前記電動駐車ブレーキ装置が、車幅方向に前記ダンパ装置と対置されることが好ましい。
【発明の効果】
【００１３】
開示の車両のブリーザ構造によれば、車両の下部に固定された電動駐車ブレーキ装置及びディファレンシャル装置のブリーザ配管を一本に合流させることで、トータルの配管経路を短縮することができる。これにより、車体振動やエンジン振動による配管の変形，破損，脱落を抑制しつつ、ブリーズ機能を満足させることができ、車両の渡渉性能を高めることができる。また、ブリーザホースの経路が簡素化されることから、部品点数を削減することができ、コストを低減させることができる。
また、ダッシュパネルに沿ってブリーザホースを固定することで、比較的高い位置まで開放端を持ち上げることができ、ブリーザホースからの水の進入を回避しやすくすることができる。これに加えて、ブリーザホースが車室内に開放されないため、車室の防音性を高めることができるとともに、電動駐車ブレーキ装置の防水性を高めることができる。
さらに、合流部よりも下流側の第一配管，第二配管の何れかに振動を吸収するホースが含まれるため、電動駐車ブレーキ装置とディファレンシャル装置との間の相対的な振動を吸収することができ、第一配管，第二配管の変形，破損，脱落をより確実に抑制することができる。
【図面の簡単な説明】
【００１４】
【図１】実施形態のブリーザ構造が適用された車両の分解斜視図である。
【図２】図１の車両のフレーム（フロアパネル下）を示す上面図である。
【図３】電動駐車ブレーキ装置を示す右側面図（図２のＡ矢視図）である。
【図４】電動駐車ブレーキ装置及びフロントディファレンシャル装置のブリーザホースを示す斜視図である。
【発明を実施するための形態】
【００１５】
図面を参照して、実施形態としての車両のブリーザ構造について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１６】
［１．構成］
［１−１．フレーム］
本実施形態のブリーザ構造が適用された車両１０を図１に例示する。この車両１０は、マウント４を介してフレーム１上にボディ１１が載置されたフレーム車両であり、フレーム１とボディ１１とが分離したセパレートフレーム構造を備える。図１では、車両１０のパワートレイン装置や懸架装置等の記載を省略して、フレーム１とボディ１１とを分離させた状態を模式的に示す。
【００１７】
フレーム１は、車両１０の骨格をなす構造部材であり、車両１０に作用する荷重を支えるものである。図１中に示すフレーム１は、一対のサイドメンバ２と複数のクロスメンバ３とを梯子状に連結してなるラダーフレームであり、車長方向（車両前後方向）が長手となるように配置される。サイドメンバ２は、車両１０の前端部から後端部までのほぼ全長に渡って車長方向に延設される部材であり、車幅方向に間隔を空けて左右に一対設けられる。
【００１８】
サイドメンバ２の断面形状は、例えば閉断面形状（円形，角形等）やコの字型（溝形，チャンネル形）に形成される。左右のサイドメンバ２は、車両１０の全体でほぼ左右対称形状となるように配置される。また、これらのサイドメンバ２の間隔は、ボディ１１の形状や車両１０に搭載される各種装置のレイアウトに合わせて、場所によって車幅方向に拡幅，狭窄される。例えば図２に示すように、サイドメンバ２は、前輪１２と干渉しないようにホイールハウスの近傍での間隔が狭く形成される。また、後輪１３の近傍では、車軸を避けるようにその上側に湾曲した形状に形成される。以下、二つのサイドメンバ２の個々を区別する場合には、それぞれを右サイドメンバ２１，左サイドメンバ２３と呼ぶ。
【００１９】
クロスメンバ３は、一対のサイドメンバ２の間を車幅方向に接続する部材であり、車長方向に間隔を空けて複数本設けられる。クロスメンバ３の断面形状は、サイドメンバ２と同様に、閉断面形状やコの字型に形成される。図１に示す車両１０には、六本のクロスメンバ３が設けられる。以下、これらのクロスメンバ３を区別する場合には、前方から順に第一クロスメンバ３１，第二クロスメンバ３２，…，第六クロスメンバ３６と呼ぶ。
【００２０】
図１に示すように、第一クロスメンバ３１は、車両１０の前端部で左右のサイドメンバ２を接続する。また、第二クロスメンバ３２，第三クロスメンバ３３は、前輪１２の車軸を挟んでその前後に配置される。一方、第四クロスメンバ３４は、フレーム１の全体で車長方向の中央部付近に配置される。また、第五クロスメンバ３５，第六クロスメンバ３６は、後輪１３の車軸を挟んでその前後に配置される。
【００２１】
フレーム１上には、複数のマウント４を介してボディ１１が載置，支持される。マウント４は、ボディ１１に伝達される振動や衝撃を緩和する緩衝装置であり、例えばラバーマウントやビスカスマウント等である。マウント４の取付箇所は、右サイドメンバ２１，左サイドメンバ２３のそれぞれに六箇所ずつ設定される。図１に示す例では、前輪１２の車軸を挟む前後の二箇所，後輪１３の車軸を挟む前後の二箇所，車室６２の下方における一箇所，サイドメンバ２における後端部近傍の一箇所に配置される。以下、前輪１２の直後方に配置されたマウント４のうち、右サイドメンバ２１に固定されたものを第一マウント４１と呼び、左サイドメンバ２３に固定されたものを第二マウント４２と呼ぶ。
【００２２】
［１−２．各種搭載品］
図２に示すように、車両１０のパワートレイン装置は、一対のサイドメンバ２の間に配置される。これらのパワートレイン装置は、マウントや弾性部材を介して車両１０のフレーム１に取り付けられる。エンジン１６，変速機１７は、第三クロスメンバ３３よりも前方側で、車幅方向の中央付近に配置される。また、変速機１７の後方にはパワートランスファユニット２５が配置される。パワートランスファユニット２５では、エンジン１６で発生した駆動力が前輪１２と後輪１３とに分配される。
【００２３】
パワートランスファユニット２５の後方にはリアプロペラシャフト１８が延設され、前方にはフロントプロペラシャフト２６が延設される。リアプロペラシャフト１８の後端部は、後輪１３の車軸の近傍においてリアディファレンシャル装置１９に接続される。同様に、フロントプロペラシャフト２６の前端部は、前輪１２の車軸の近傍においてフロントディファレンシャル装置２７に接続される。これらのディファレンシャル装置１９，２７は、例えばスプリングやダンパーなど緩衝機構を介してフレーム１に固定される。各々のプロペラシャフト１８，２６とディファレンシャル装置１９，２７との間には、ユニバーサルジョイントやスリーブヨークが介装される。
【００２４】
リアプロペラシャフト１８よりも右側には、エンジン１６の排気系装置２０（排気管，排気触媒装置，消音装置等）が配置される。一方、リアプロペラシャフト１８よりも左側には、エンジン１６の燃料タンク１５が配置される。燃料タンク１５の位置は、上面視で第四クロスメンバ３４と第五クロスメンバ３５とに挟まれた範囲内に設定される。本実施形態では、第四クロスメンバ３４，第五クロスメンバ３５，左サイドメンバ２３のそれぞれに対して燃料タンク１５が固定される。また、リアプロペラシャフト１８を挟んで燃料タンク１５の右側には、消音装置（マフラー）が配置される。
【００２５】
左サイドメンバ２３の外面２４には、フレーム１の振動を抑制するためのダイナミックダンパ８（ダンパ装置）が取り付けられる。ダイナミックダンパ８は、フレーム１の振幅が比較的大きくなりやすい中央部付近（例えば、第三クロスメンバ３３と第四クロスメンバ３４との間）に配置され、フレーム１の共振を抑制するおもりとして機能する。また、ダイナミックダンパ８の位置は、第二マウント４２よりも後方に設定される。つまり、ダイナミックダンパ８と前輪１２との間に第二マウント４２を配置する。これにより、前輪１２からダイナミックダンパ８への飛び石（チッピング）が抑制される。
【００２６】
［１−３．電動駐車ブレーキ装置］
この車両１０には、駐車ブレーキの作動，解除を電子制御する電動駐車ブレーキ装置５（EPB，Electric Parking Brake）が搭載される。電動駐車ブレーキ装置５は、ブレーキペダルによる通常の制動系とは別系統で設けられた制動装置であり、例えば後輪１３に内蔵された摩擦制動機構（ドラムブレーキ装置，ディスクブレーキ装置等）をワイヤケーブル７で牽引することにより、後輪１３の回転をロックする（拘束する）機能を持つ。
【００２７】
電動駐車ブレーキ装置５には、バッテリ駆動のモータ６が内蔵される。モータ６の作動状態は、乗員の操作に応じて制御される。例えば、モータ６を正回転させる操作がなされると、ワイヤケーブル７が牽引され、後輪１３がロックされる。また、モータ６を逆回転させる操作がなされた場合には、ワイヤケーブル７の牽引力が弱められ、後輪１３のロックが解除される。これらの操作は、例えばボタン操作やアクセルペダルの踏み込み操作，車両１０の停止状態等に対応付けられる。
【００２８】
左右の後輪１３に伝達されるワイヤケーブル７の牽引力は、イコライザ９（分配器）で均等に分配される。イコライザ９は、電動駐車ブレーキ装置５とともに、電動駐車ブレーキ装置５に隣接してサイドメンバ２に固定される。イコライザ９から伸びる二本のワイヤケーブル７は、フレーム１上に配索されて、左右の後輪１３のそれぞれに対して接続される。
【００２９】
本実施形態の電動駐車ブレーキ装置５及びイコライザ９は、車室６２のフロアパネル１４の下方において、サイドメンバ２における車両外側の側面に固定される。すなわち、図３に示すように、電動駐車ブレーキ装置５及びイコライザ９は、右サイドメンバ２１の外面２２に固定される。電動駐車ブレーキ装置５及びイコライザ９は、フロアパネル１４とは非接触とされる。また、電動駐車ブレーキ装置５及びイコライザ９は、ダイナミックダンパ８と同様に、フレーム１の振幅が比較的大きくなりやすい中央部付近（例えば、第三クロスメンバ３３と第四クロスメンバ３４との間）に配置される。
【００３０】
つまり、電動駐車ブレーキ装置５，イコライザ９は、上面視でリアプロペラシャフト１８を挟んでダイナミックダンパ８と対向するように配置され、ダイナミックダンパ８と車幅方向に対置される。これにより、電動駐車ブレーキ装置５及びイコライザ９は、フレーム１の共振を抑制するおもりとして機能する。なお、電動駐車ブレーキ装置５及びイコライザ９の配設位置は、サイドメンバ２の外側であることから、車両１０の燃料タンク１５に対して車長方向に見て重ならない位置となる。
【００３１】
また、電動駐車ブレーキ装置５及びイコライザ９の固定位置は、第一マウント４１よりも後方に設定される。つまり、第一マウント４１は、電動駐車ブレーキ装置５及びイコライザ９と前輪１２との間に配置される。これにより、図３中に斜線領域として示すように、前輪１２からの飛び石（チッピング）が電動駐車ブレーキ装置５，イコライザ９に衝突しにくくなり、電動駐車ブレーキ装置５，イコライザ９の保護性が向上する。
【００３２】
［１−４．ブリーザホース］
電動駐車ブレーキ装置５には、その内外を連通するブリーザホースが接続される。図３に示す例では、モータ６が内蔵された電動駐車ブレーキ装置５の手動開放装置５４とケース本体５８との間に緊急解除用ケーブル５３が接続されるとともに、手動開放装置５４からブリーザホース５１が延設される。これらのブリーザホース５１，緊急解除用ケーブル５３は、電動駐車ブレーキ装置５の内外を連通する大気開放用の通路（第一配管）として機能する。
【００３３】
手動開放装置５４は、緊急時に車両１０の外部から駐車ブレーキを解除するための装置である。手動開放装置５４の取付位置は、車両１０の右側面からアクセスしやすいように、電動駐車ブレーキ装置５の近傍に設定される。なお、密閉されている手動開放装置５４の蓋を開けて緊急解除用ケーブル５３を押し引きすることで、ワイヤケーブル７を緩めて後輪１３のロックを解除することができる。
【００３４】
ブリーザホース５１，緊急解除用ケーブル５３は、ともに耐水性の被覆で覆われたホースである。ブリーザホース５１の一端は手動開放装置５４の蓋の内側に開放され、他端は車両１０のエンジンルーム６１内に開放される。ブリーザホース５１は、図３に示すように、右サイドメンバ２１の外面２２に沿って、車室６２のフロアパネル１４よりも下方で車長方向に配設される。また、ブリーザホース５１の前方側は、ダッシュパネル２８（エンジンルーム６１側の表面）に沿って上方に向かって配設され、カウルトップ２９の下方に開放される。
【００３５】
カウルトップ２９は、ダッシュパネル２８の上端部において車幅方向に張設された面状の部材であり、ダッシュパネル２８よりも前方のエンジンルーム６１に向かって張り出した形状とされる。ブリーザホース５１の開放端５５は、カウルトップ２９の翼下に配置される。したがって、例えば雨水がフロントガラス５６を伝ってガーニッシュ３０とボンネット５７との隙間からエンジンルーム６１内に進入したとしても、開放端５５からの水の吸い込みが防止される。あるいは、河川の渡渉時における開放端５５への水掛かりも防止される。
【００３６】
図４に示すように、フロントディファレンシャル装置２７にも、その内外を連通する大気開放用の通路（第二配管）としてのブリーザホース５２が接続される。このブリーザホース５２は、フロントディファレンシャル装置２７を始点として、前輪１２の車軸に沿って車幅方向に延設された後、右サイドメンバ２１に沿って車両後方に延設され、ダッシュパネル２８の表面に向かって上向きに配設される。また、ブリーザホース５２は、ダッシュパネル２８の表面近傍において、電動駐車ブレーキ装置５のブリーザホース５１と合流するように接続される。したがって、開放端５５（合流により共通化された大気開放端部）は、ブリーザホース５２の大気開放口でもあり、ブリーザホース５１の大気開放口でもある。ブリーザホース５２，５１は、その合流部６０を含む複数箇所で、ダッシュパネル２８に対して固定される。
【００３７】
ここで、大気開放用の通路全体のうち、合流部６０から電動駐車ブレーキ装置５までの区間を第一区間と呼び、合流部６０からフロントディファレンシャル装置２７までの区間を第二区間と呼ぶ。また、合流部６０から開放端５５までの区間を第三区間と呼ぶ。本実施形態におけるブリーザ構造は、第一区間，第二区間，第三区間が合流部６０で三つ股に連結された構造を持つ。
【００３８】
本実施形態のブリーザホース５１，５２は、ともに振動を吸収する弾性を持ったゴム製や軟質樹脂製のホースであるが、部分的に金属製，硬質樹脂製の配管材（パイプ）で接続されている。第一区間，第二区間はおもにホースで形成され、第三区間はおもにパイプで形成される。したがって、第一区間，第二区間の双方において、車体振動を吸収しうる構造となっている。なお、第一区間，第二区間にパイプを使用する場合には、少なくとも第一区間と第二区間との何れか一方に、振動を吸収するホースを介装することが好ましい。あるいは、少なくとも第一区間と第二区間との何れか一方を、振動を吸収するホースで形成することが好ましい。
【００３９】
電動駐車ブレーキ装置５は、車両１０のサイドメンバ２に固定されるため、車体振動の影響を受けて変位しうる。一方、フロントディファレンシャル装置２７は、トランスファ装置２５及びフロントプロペラシャフト２６を介して変速機１７に接続されているため、車体振動だけでなくエンジン１６の振動の影響を受けて変位しうる。このような振動特性の相違は、大気開放用の通路の変形，破損，脱落を招く要因の一つとなる。
【００４０】
しかしながら、少なくとも第一区間と第二区間との何れか一方にホースを含ませることで、このような振動特性の相違がホースで吸収され、電動駐車ブレーキ装置５とフロントディファレンシャル装置２７との間の相対的な振動が抑制される。したがって、第一区間及び第二区間における配管材の変形，破損，脱落が効果的に抑制される。
【００４１】
［２．作用，効果］
（１）上記の車両１０のブリーザ構造では、フロントディファレンシャル装置２７のブリーザホース５２と電動駐車ブレーキ装置５のブリーザホース５１とが合流するように設けられる。一方、フロントディファレンシャル装置２７，電動駐車ブレーキ装置５は、ともに車両１０のフレーム１（すなわち、サイドメンバ２，クロスメンバ３）に対して固定される。
【００４２】
このように、同一のフレーム１に固定された装置のブリーザホース５１，５２を合流させて一体化することで、ホースの配索経路を短縮させつつ、車体振動やエンジン振動によるホースの変形，破損を抑制することができる。したがって、フロントディファレンシャル装置２７，電動駐車ブレーキ装置５のブリーザ機能をともに十分に満足させることができ、車両１０の渡渉性能を向上させることができる。また、ブリーザ経路が簡素化されることから、部品点数を削減することができ、コストを低減させることができる。
【００４３】
なお、上記のような大気開放用のブリーザホースは、フロントディファレンシャル装置２７，電動駐車ブレーキ装置５だけでなく、変速機１７やパワートランスファユニット２５等にも接続される。しかし、変速機１７，パワートランスファユニット２５は、エンジン１６の動力伝達経路上に配置されるものであることから、エンジン１６の振動の影響を受ける。これは、パワートレイン装置がマウント，弾性部材を介してフレーム１に取り付けられる理由の一つである。そのため、変速機１７，パワートランスファユニット２５のブリーザホースと電動駐車ブレーキ装置５のブリーザホース５１とを合流させてしまうと、振動状態の相違によりホースの変形，破損が生じるおそれがある。一方、同一のフレーム１に対して固定されるフロントディファレンシャル装置２７，電動駐車ブレーキ装置５のブリーザホース５２，５１を合流させた場合には、このような不具合の発生を回避することができる。
【００４４】
（２）上記のブリーザ構造では、図４に示すように、ブリーザホース５２，５１がダッシュパネル２８に沿って固定される。これにより、開放端５５を比較的高い位置まで持ち上げることができ、開放端５５からの水分の進入を回避しやすくすることができる。
また、ブリーザホース５２，５１は、ダッシュパネル２８のエンジンルーム６１側に配置される。つまり、車室６２のフロアパネル１４には大気開放用の貫通穴を穿孔する必要がないため、車室６２の防音性や防水性を高めることができる。
【００４５】
（３）上記のブリーザ構造では、少なくとも第一区間と第二区間との何れか一方に、振動を吸収するホースが含まれる。これにより、電動駐車ブレーキ装置５とフロントディファレンシャル装置２７との間の相対的な振動を吸収することができ、ブリーザホース５１，ブリーザホース５２，緊急解除用ケーブル５３の変形や破損，脱落をより確実に抑制することができる。
【００４６】
（４）上記のブリーザ構造では、図３に示すように、ブリーザホース５２，５１の開放端５５がカウルトップ２９の下方に開放される。これにより、ガーニッシュ３０とボンネット５７との隙間から水が進入した場合であっても、開放端５５からの水の吸い込みや開放端５５への水掛かりを防止することができる。
【００４７】
（５）上記の電動駐車ブレーキ装置５は、ボディ１１から分離したサイドメンバ２に固定される。これにより、電動駐車ブレーキ装置５とフロントディファレンシャル装置２７との距離が短くなる。したがって、電動駐車ブレーキ装置５を車室６２の内部に配置した場合と比較して、ブリーザホース５１の経路長さを短縮することができる。また、電動駐車ブレーキ装置５の作動に伴って生じうる騒音，振動がボディ１１に伝わりにくくなり、車室６２の防音性，防振性を高めることができる。
【００４８】
また、車室６２はマウント４を介してフレーム１に支持されることから、電動駐車ブレーキ装置５の取付箇所にも防振ゴムを介装する必要がなく、コストを削減することができる。さらに、電動駐車ブレーキ装置５の質量でフレーム１の振動を抑制することができ、車両１０の振動に対する安定性や静粛性を高めることができる。
【００４９】
（６）上記のブリーザ構造では、フロントディファレンシャル装置２７のブリーザホース５２と電動駐車ブレーキ装置５のブリーザホース５１とが一体に接続される。電動駐車ブレーキ装置５は、図２に示すように、フロントディファレンシャル装置２７の近傍であって、車両１０の前輪１２よりも後方に配置される。これにより、例えばリアディファレンシャル装置１９のブリーザホースと電動駐車ブレーキ装置５のブリーザホース５１とを一体に接続したような場合と比較して、ホース長をより短縮することができる。
【００５０】
（７）上記の電動駐車ブレーキ装置５の固定位置は、サイドメンバ２のうち車両外側の側面（外面２２）に設定される。これにより、ブリーザホース５１の点検・整備や部品交換が容易となり、メンテナンス性を高めることができる。
また、上記の電動駐車ブレーキ装置５は、図２に示すように、車幅方向にダイナミックダンパ８と対置するように設けられる。これにより、フレーム１の車長方向の振動を効率的に抑制することができ、車両１０の振動に対する静粛性や車体安定性を向上させることができる。したがって、ブリーザホース５１，５２の変形，破損をより効果的に抑制することができる。
【００５１】
［３．変形例］
上述した実施形態に関わらず、それらの趣旨を逸脱しない範囲で種々変形して実施することができる。本実施形態の各構成は、必要に応じて取捨選択することができ、あるいは適宜組み合わせてもよい。
上述の実施形態では、梯子形のラダーフレームが適用された車両１０のブリーザ構造について詳述したが、他のフレームを車両１０に適用することも可能である。例えば、ペリメータフレーム（車両の外周を囲むように配置されるフレーム）や、トラスフレーム（三角形の骨組みを基本形状としたトラス構造のフレーム）を適用することができる。
【００５２】
また、上記のブリーザ構造は、マウント４を介してフレーム１上にボディ１１が載置されたフレーム車両だけでなく、アンセパレートフレーム車両やモノコック車両にも適用可能である。少なくとも、ディファレンシャル装置（フロントディファレンシャル装置２７又はリアディファレンシャル装置１９）と電動駐車ブレーキ装置５とがともにフレーム１に固定された車両１０であれば、上記のブリーザ構造を適用することで、上述の実施形態と同様の効果を獲得することができる。
【００５３】
なお、上述の実施形態では、フロントディファレンシャル装置２７のブリーザホース５２と電動駐車ブレーキ装置５のブリーザホース５１とを合流させているが、フロントディファレンシャル装置２７の代わりにリアディファレンシャル装置１９のブリーザホースを合流させてもよい。この場合、電動駐車ブレーキ装置５の近傍でこれらのブリーザホースを合流させてダッシュパネル２８の前方まで延長すれば、上述の実施形態と同様に、カウルトップ２９の下方に開放端５５を配置することができる。
【符号の説明】
【００５４】
５  電動駐車ブレーキ装置
１０  車両
２７  フロントディファレンシャル装置
２８  ダッシュパネル
２９  カウルトップ
５１  ブリーザホース（第一配管）
５２  ブリーザホース（第二配管）
５３  緊急解除用ケーブル（第一配管）
５５  開放端
６０  合流部
【図１】
0006476964.tif 000002
【図２】
0006476964.tif 000003
【図３】
0006476964.tif 000004
【図４】
0006476964.tif 000005